(57)【要約】【課題】  ＰＩＰ(Picture  In Picture)形式で映像表示する場合、子画面に表示する内容が容易に確認できるような映像再生装置を提供する。【解決手段】  特定チャンネルの放送を視聴中に、操作部２８を操作することにより、情報の貼付指示を行う。複数のチューナのうち現在視聴に使われていないチューナは情報切り出し用の放送局のチャンネルにセットされる。復調器にて復調され映像データが信号処理部１５と映像処理部２１を介して、グラフィック処理部１９に送信される。グラフィック処理部１９は制御部２４より受信した座標値、及びチャンネル番号を参照して入力される映像データから矩形範囲の映像を切り出す。そしてグラフィックス処理部１９は、切り出された矩形範囲の映像と、視聴中のチャンネルの映像とを合成したＰＩＰ形式の映像を生成し、表示モニタ２０に出力する。【選択図】 図１
2015039054.tif 000002
【特許請求の範囲】
【請求項１】
第１のチャンネルで放送される第１の映像を受信する第１のチューナと、
第２のチャンネルで放送される第２の映像を受信する第２のチューナと、
第２のチューナで受信された第２の映像の一部を切り出すため、第２の映像が表示された状態で所定の領域を指定する指定手段と、
前記指定手段で指定された領域の座標値を保存するメモリと、
第１の映像と第２の映像の同時表示を行う指示を受けた場合、前記第２の映像から、前記メモリに保存された座標値に対応する領域の映像を切り出し、この切り出された第２の映像と第１の映像とを合成した映像を生成するグラフィックス処理部と、
を具備したことを特徴とする映像再生装置。
【請求項２】
前記第前記指定手段は、前記第２の映像が全画面表示された状態でユーザに範囲を選択させるためのガイド画面を表示画面に表示させることを特徴とする請求項１記載の映像再生装置。
【請求項３】
前記指定手段によって第２の映像の所定の領域が指定されたとき、指定された領域の映像データが前記座標値に対応づけられて前記メモリに保存されることを特徴とする請求項２記載の映像再生装置。
【請求項４】
前記装置手段により同時表示の指示があった場合、前記グラフィックス処理部は、前記保存された映像データと、前記切り出された第２の映像の一部とを比較し、所定基準に合致する変化があったと判定された場合、変化があったことを通知する表示を行うことを特徴とする請求項３記載の映像再生装置。
【請求項５】
前記グラフィックス処理部は、前記保存された映像データと前記切り出された第２の映像の一部とを比較し、所定基準に合致する変化があったと判定された場合、この切り出された第２の映像の一部を新たな基準映像データとして、前記メモリに保存することを特徴とする請求項４記載の映像再生装置。
【請求項６】
第１のチューナを介して第１のチャンネルで放送される第１の映像を受信し、
第２のチューナを介して第２のチャンネルで放送される第２の映像を受信し、
第２のチューナで受信された第２の映像の一部を切り出すため、第２の映像が表示された状態で所定の領域を指定する指示を受け、
指定された第２の映像の領域を示す座標値を保存し、
第１の映像と第２の映像をと同時表示させるための指示を受け、
同時表示の指示を受けた場合、前記第２の映像のうち、前記保存手段に保存された座標値に対応する領域を切り出し、この切り出された第２の映像の一部を第１の映像に合成した映像を生成することを特徴とする映像再生方法。
【発明の詳細な説明】
【技術分野】
【０００１】
本発明は表示モニタに映像を表示する映像再生装置に関し、特に２つの映像を合成表示するＰＩＰ（Picture In Picture）形式で表示することができる映像再生装置に関するものである。
【背景技術】
【０００２】
現在テレビを利用する視聴者には、あるチャンネルの放送番組を視聴中に、異なるチャンネルの放送番組の内容をチェックするというユースケースが存在する。例えば、視聴者がドラマの放送を視聴している時に、別のチャンネルで放送されているスポーツ中継の試合経過が気になり、スポーツ中継が放送されているチャンネルに切り換える等のユースケースである。
【０００３】
今までこのようなユースケースにおいて、ＰＩＰ(Picture In Picture)形式の表示機能が備わったテレビでは、主映像としてドラマが放送されているチャンネルの映像を全画面表示させ、サブ映像としてスポーツが放送されているチャンネルの映像を子画面表示させることで同時に２つのチャンネルの映像を確認することができていた。
【０００４】
しかし、子画面で表示させている映像は解像度や画像サイズが小さいために、内容の確認をすることが難しいという問題があった。
【０００５】
そこで特許文献１では主番組の親画面にサブ番組の子画面を縮小して合成表示する際に、子画面の解像度を向上させて見やすくすることができる技術が開示されている。
【先行技術文献】
【特許文献】
【０００６】
【特許文献１】特開平３−２１４８７０号公報  （図３）
【発明の概要】
【発明が解決しようとする課題】
【０００７】
しかし従来の技術では子画面の解像度が向上するだけであり、子画面のサイズ自体は変わらないために、テレビの視聴者は依然として内容の確認をすることは難しかった。
【０００８】
本発明は上記に鑑みてなされたものであって、子画面表示の内容が容易に確認できるような映像再生装置を提供する子画面表示の内容が容易に確認できるような映像再生装置を提供することを目的とするものである。
【課題を解決するための手段】
【０００９】
上述した課題を解決し目的を達成するために、本発明は第１のチャンネルで放送される第１の映像を受信する第１のチューナと、第２のチャンネルで放送される第２の映像を受信する第２のチューナと、第２のチューナで受信された第２の映像の一部を切り出すため、第２の映像が表示された状態で所定の領域を指定する指定手段と、前記指定手段で指定された領域の座標値を保存するメモリと、第１の映像と第２の映像の同時表示を行う指示を受けた場合、前記第２の映像から、前記メモリに保存された座標値に対応する領域の映像を切り出し、この切り出された第２の映像と第１の映像とを合成した映像を生成するグラフィックス処理部とを具備したものである。
【００１０】
また本発明は、前記指定手段によって、第２の映像の所定の領域が指定されたとき、指定された領域の映像データを前記座標値に対応づけて保存するものである。
【００１１】
また本発明は前記装置手段により同時表示の指示があった場合、前記グラフィックス処理部は、前記保存された映像データと、前記切り出された第２の映像の一部とを比較し、所定基準に合致する変化があったと判定された場合、変化があったことを通知する表示を行うものである。
【００１２】
また本発明は、前記グラフィックス処理部は、前記保存された映像データと前記切り出された第２の映像の一部とを比較し、所定基準に合致する変化があったと判定された場合、この切り出された第２の映像の一部を新たな基準映像データとして、前記保存手段に保存するものである。
【発明の効果】
【００１３】
本発明によれば、第１の映像に対して第２の映像を合成表示する時に、第２の映像の表示内容を確認することが容易になる。
【図面の簡単な説明】
【００１４】
【図１】本発明の一実施形態を示すデジタルテレビのシステム構成図
【図２】同実施形態の表示画面例を示す図。
【図３】同実施形態における矩形領域を選択する状態を示す図。
【図４】同実施形態における矩形領域の選択要否を確認させる状態を示す図。
【図５】同実施形態における矩形領域の移動をさせるためのガイド画面を表示している図。
【図６】同実施形態における、矩形選択動作を説明するためのフローチャート。
【図７】同実施形態における、選択され矩形領域を表示画面に合成表示させている状態を示す図。
【図８】同実施形態における、選択された矩形領域を表示画面に合成する動作を説明するためのフローチャート。
【図９】同実施形態における情報変化を検出した時の動作を説明するためのフローチャート。
【図１０】同実施形態におけるスコア表示に変化があった時の表示画面例を示す図。
【発明を実施するための形態】
【００１５】
以下に図面を参照してこの発明にかかるテレビジョン受信装置、及び表示制御方法の最良な実施の形態を詳細に説明する。
【００１６】
図１は本発明の一実施形態を示すデジタルテレビのシステム構成図である。
図１に示すように本実施形態のデジタルテレビ１０は、複数のチューナ１１、１２を有している。チューナ１１、１２で受信された放送波はそれぞれ復調器１３、１４に出力され、復調器にて特定チャンネルの映像データとして復調される。そして復調された映像データは信号処理部１５に出力される。映像データが入力された信号処理部１５では映像データを種別毎に分離し、ＡＡＣ方式等で圧縮された音声データは音声処理部１７へ出力し、番組説明情報などが含まれるシステム情報はＳＩ(System Information)処理部１１に出力し、ＭＰＥＧ２にて圧縮された映像データは映像処理部２１に出力する。
【００１７】
そして音声処理部１７に入力された音声データは圧縮解除され、スピーカ１８から音声出力される。ＳＩ処理部１６に入力されたＳＩデータは文字データとしてグラフィック処理部１９に出力される。また映像処理部２１に入力された映像データは圧縮解除され動画映像としてグラフィック処理部１９に出力される。グラフィックス処理部１９は、ＳＩ処理部１６、映像処理部２１、ＯＳＤ（On  Screen Display）信号処理部２２から入力された映像を合成処理して、表示モニタ２０に表示出力する。また制御部２４からの指示に基づいて、出力された映像データを、ハードディスクドライブなどの録画装置１２３に出力する。
【００１８】
またグラフィックス処理部１９は、映像処理部２１から入力される映像の画像についてＰＩＰ映像を生成するために、チューナ１１を介して入力された第１のチャンネルの映像データと、チューナ１２４を介して入力された第２のチャンネルの映像データとを合成する機能を有する。グラフィックス処理部１９は、これら複数のチャンネルから入力した映像データのうち、一方のチャンネル映像データを主画面として表示画面に全体に表示し、他方のチャンネルの映像データをサブ画面として子画面領域に合成表示する。さらに子画面領域に表示する映像データは、ユーザによる指示に基づいて表示させる領域を指定することができる。
【００１９】
制御部２４は、デジタルテレビ１０の全体の動作制御を実行するコントローラであって、プログラムメモリであるＲＯＭ２５、実行するプログラムのワーキングメモリであるＲＡＭ２６、ＳＩ処理部により抽出されたシステム情報を格納する不揮発性ルモリ２７を有する。
【００２０】
操作部２８はデジタルテレビ１０に設けられた操作スイッチやリモートコントローラである。ユーザが操作スイッチを操作した場合には操作情報が制御部２４に送られ、リモートコントローラを操作した場合は、受光部２９を介して操作情報が制御部２４に送られる。
【００２１】
次に、図１に示すようなデジタルテレビにおいて、本実施形態におけるＰＩＰ形式による映像表示方法について図２乃至図１０を用いて説明する。
【００２２】
本実施形態の特徴は、ＰＩＰ形式によって子画面として表示させる映像領域を自動切り出しするか、またはユーザが選択することにより指定するできることにある。
【００２３】
つまり、裏で受信している放送映像の一部分を、視聴画面に表示し、視聴画面を見ながら裏番組の情報を子画面に出しておくことができるものである。
【００２４】
例えばユーザがドラマを見ている時に、他のチャンネルで放送している野球中継の試合経過が気になるという場合、野球中継のスコア部分のみを切り出し、ドラマの画面上の一部に表示させておくものである。
【００２５】
野球中継のスコア部分の範囲検出は、自動で行うか、ユーザが範囲指定をすることにより決定する。またスコア部分に変化があった場合、変化があったことを知らせる機能を有することも特徴である。
【００２６】
そこで、初めに子画面表示させる領域の切り出し方法について、図２乃至図６を用いて順次説明していく。
【００２７】
まず、子画面表示させる領域の切り出しを行うために、図２のように切り出しを行うチャンネルの映像を表示させ、ユーザによる操作部２８を操作することにより切り出し領域の選択指示を行う。この切り出し領域の選択指示は具体的には操作部２８に設けられたスコア検出キーの押下によって行われる（ステップＳ６０）。ユーザによってスコア検出キーが押下されると、グラフィック処理部１９は、表示されている映像に対してパターンマッチング処理を実施し、予め登録されているスコア映像に合致する映像があるか否かを検出する（ステップＳ６１）。
【００２８】
図２に示す野球中継のようなスポーツ映像の場合は、試合経過と得点状況を示すスコア映像が所定時間の間連続した静止画パターンとして表示されている。そこでグラフィックス処理部１９はこのような特徴を示す静止画のパターンをスコア映像であると検出し、パターンマッチした左上の座標と、右下の座標を基準にして矩形エリアを切り出す(ステップＳ６２)。そして図３に示すように切り出された矩形エリアをユーザに認識可能に表示させる。図３においては、「７回表」という試合経過、「Ｇ−Ｔ」というチーム名、「２−３」という得点状況を含む領域が矩形で囲われている状態を示している。
【００２９】
一方で、パターンマッチングにより静止画パターンが検出されなかった場合、グラフィック処理部１９は表示画面上の左上座標を基準に、特定範囲内(100*100画素)の矩形エリアを切り出す(ステップＳ６３)。左上の特定範囲の画像を切り出す理由は、スコア表示が通常に左上に表示されることが多いことによるものである。
【００３０】
次に、グラフィックス処理部１９は、図４に示すように矩形範囲が適切か否かを確認させるための画面を表示する（ステップＳ６５）。そして矩形範囲が適切であるとの操作がユーザにより実施された場合、グラフィック処理部１９は、不揮発性メモリ２７に決定された矩形範囲に対応する座標値（ｘ，ｙ，ｗ，ｈ）と、放送局のチャンネル番号とを対応づけて保存する。
【００３１】
一方で、矩形範囲が適切でないとの操作が実施された場合には、グラフィックス処理部１９は図５に示すようなユーザにより矩形範囲を移動させるためのガイド画面を表示させる(ステップＳ６７)。
【００３２】
図５に示すガイド画面に基づいてユーザはリモートコントローラ等を用いて選択範囲の起点、終点を移動させる操作を行って矩形範囲を決定する。そしてグラフィックス処理部１９は決定された矩形範囲をチャンネル番号と対応づけて不揮発性メモリ２７に保存する。
【００３３】
次に、図７と図８を用いて、決定された矩形の表示領域をＰＩＰ形式で表示する方法について説明する。
【００３４】
まずユーザが特定チャンネルの放送を視聴中に、操作部２８を操作することにより、情報の貼付指示を行う。具体的にはユーザはリモートコントローラに設けられたスコア貼付キーを押下する（ステップＳ８０）。
【００３５】
すると制御部２４は、不揮発性メモリ２７に格納された矩形範囲に対応する座標値と、放送局のチャンネル番号とを読み出す。制御部２４は、座標値およびチャンネル番号をチューナと復調器、及びグラフィックス処理部１９に送信する。そして複数のチューナのうち現在視聴に使われていないチューナは情報切り出し用の放送局のチャンネルにセットされる。次に復調器にて復調され映像データが信号処理部１５と映像処理部２１を介して、グラフィック処理部１９に送信される。
【００３６】
そしてグラフィック処理部１９は制御部２４より受信した座標値、及びチャンネル番号を参照して入力される映像データから矩形範囲の映像を切り出す。そしてグラフィックス処理部１９は、図７に示すような切り出された矩形範囲の映像と、視聴中のチャンネルの映像とを合成したＰＩＰ形式の映像を生成し、表示モニタ２０に出力する（ステップＳ８１）。
【００３７】
図７は、表示画面全体に視聴中のチャンネルの映像が表示され、切り出された矩形領域が左下に配置されている状態を示している。つまり視聴中のチャンネルの映像が全画面表示されている中に、裏番組として放送されているスポーツ中継のスコア部分だけがサブ映像として矩形領域に切り出されてＰＩＰ表示されているものである。
【００３８】
このように矩形領域がＰＩＰとして表示されたあと、グラフィックス処理部１９はこの矩形領域の位置が適切か否かを確認するための画面を表示する（ステップＳ８２）。そしてユーザが操作部２８を用いて、矩形領域の位置が適切でないとの指示を出した場合には（ステップＳ８３のｎ）、グラフィックス処理部１９は矩形領域を調整させるためのガイド画面を表示する。そしてユーザが操作部２８を用いて矩形領域を移動させるなどして変更された座標値
を、不揮発性メモリ２４に格納する。さらに矩形領域として切り出された映像自体が基準パターンとして不揮発性メモリ２４に格納される。
【００３９】
次に、ＰＩＰ形式で合成表示されている矩形領域の映像の変化を検出して、ユーザに通知する動作について図９と図１０を用いて説明する。
【００４０】
上述したように、矩形領域として切り出された映像は基準パターンとして不揮発性メモリに格納されている。そしてグラフィックス処理部１９は矩形領域の映像の内容の変化を検出したとき（ステップＳ９０）、不揮発性メモリに格納された基準パターンと、現在放送されている矩形領域内の映像との差異を比較する（ステップＳ９１）。グラフィックス処理部１９による比較処理は、ＰＩＰ形式の表示が維持されている間続けられる。
【００４１】
そして、矩形領域内の映像と基準パターンとの差異が、所定の範囲内であった場合（ステップＳ９２のｙ）に、矩形領域に変化があった旨のガイド表示を行う（ステップＳ９３）。矩形領域内の映像と基準パターンとの差異の比較判定は、比較の結果一致する画素数の割合によって算出される。例えば、一致する画素数が１０％〜５０％の範囲内であった場合、差異があったと判定される。
【００４２】
この判定基準はスポーツ中継のスコア表示などは数字部分などの一部領域のみが変化する特徴に基づくものである。また判定基準のパラメータは、設定メニューを表示させることによりユーザに適宜調整させるようにしてもよい。
【００４３】
図１０はこのガイド表示の例であって、裏番組に変化があったことを通知するとともに、チャンネルを裏番組に切り換えるか否かを問い合わせるガイドを表示している。
【００４４】
さらには矩形領域内の映像も更新された映像が表示される。図１０の例では、矩形領域の得点表示が「２−３」から「３−３」に変化している。
【００４５】
また矩形領域に変化があった場合には、変化があった映像を新たな基準パターンとして置き換えて不揮発性メモリ２７に格納する。
【００４６】
なお、矩形領域の映像が基準パターンと比較して９５％以上変化があった場合は、コマーシャル映像などに切りかわったと判定し、メッセージを表示させるようにしてもよい。
【００４７】
また、矩形領域の映像が変化した時間を不揮発性メモリに保存しておくことで更なる応用ができる。つまり裏番組として放送されている矩形領域の映像をＰＩＰ形式で表示させながら、録画装置１２３に録画をしている場合、矩形領域の映像が変化した時間を、録画データの属性データとして付加しておく。そして時間データをチャプタポイントとして利用すれば、ユーザは得点の変化した時間の映像を容易に検索することができる。
【００４８】
以上説明したように、本実施形態によれば、ユーザが気になる裏番組の情報を視聴画面に、ＰＩＰ形式で表示することにより、気になる情報を見やすく提示することができる。また裏番組にユーザが気になる変化が生じたと検出することにより、ユーザが気になる場面を見逃すことが無くなる。
【符号の説明】
【００４９】
１１，１２…チューナ、  １３，１４…復調器、１５…信号処理部、１６…ＳＩ処理部、１７…音声処理部、１８…スピーカ、１９…グラフィック処理部、２０…表示モニタ、２１…映像処理部、２２…ＯＳＤ処理部、２３…録画装置、２４…制御部、２５…ＲＯＭ、２６…ＲＡＭ、２７…不揮発性メモリ、２８…操作部、２９…受光部。
【図１】
2015039054.tif 000003
【図２】
2015039054.tif 000004
【図３】
2015039054.tif 000005
【図４】
2015039054.tif 000006
【図５】
2015039054.tif 000007
【図６】
2015039054.tif 000008
【図７】
2015039054.tif 000009
【図８】
2015039054.tif 000010
【図９】
2015039054.tif 000011
【図１０】
2015039054.tif 000012